【手続補正書】
【提出日】平成15年10月17日(2003.10.17)
【手続補正１】
【補正対象書類名】明細書
【補正対象項目名】特許請求の範囲
【補正方法】変更
【補正の内容】
【特許請求の範囲】
【請求項１】
ブレーキペダルの踏込みによりブレーキ液圧を発生させるマスタシリンダと、
前後各車輪にそれぞれ設けられブレーキ液圧により制動力を発生させるホイールシリンダと、
該前後各車輪のホイールシリンダへのブレーキ液圧を発生させるアクチュエータと、
アクチュエータから前後各ホイールシリンダへのブレーキ液圧を制御するコントローラと、
を有するブレーキ制御装置であって、
マスタシリンダとホイールシリンダとの連通を遮断しかつアクチュエータとホイールシリンダとを連通させる正常状態と、マスタシリンダとホイールシリンダとを連通可能でかつアクチュエータとホイールシリンダとの連通を遮断する異常対応状態とを切り換える切換弁を、前輪側のホイールシリンダに対してのみ設けてなることを特徴とするブレーキ制御装置。
【請求項２】
前記切換弁は、電力駆動式のもので、電力非供給時に、前記異常対応状態とされ、電力供給時に前記正常状態とされることを特徴とする請求項１記載のブレーキ制御装置。
【手続補正２】
【補正対象書類名】明細書
【補正対象項目名】０００４
【補正方法】変更
【補正の内容】
【０００４】
【課題を解決するための手段】
上記目的を達成するため、本発明の請求項１記載のブレーキ制御装置は、ブレーキペダルの踏込みによりブレーキ液圧を発生させるマスタシリンダと、前後各車輪にそれぞれ設けられブレーキ液圧により制動力を発生させるホイールシリンダと、前後各ホイールシリンダへのブレーキ液圧を発生させるアクチュエータと、アクチュエータから前後各ホイールシリンダへのブレーキ液圧を制御するコントローラと、を有するものであって、マスタシリンダとホイールシリンダとの連通を遮断しかつアクチュエータとホイールシリンダとを連通させる正常状態と、マスタシリンダとホイールシリンダとを連通可能でかつアクチュエータとホイールシリンダとの連通を遮断する異常対応状態とを切り換える切換弁を、前輪側のホイールシリンダに対してのみ設けてなることを特徴としている。
これは、異常時においては、前輪側にのみ制動力を発生させることができれば対応できることに着目し、よって、マスタシリンダとホイールシリンダとの連通を遮断しかつアクチュエータとホイールシリンダとを連通させる正常状態と、マスタシリンダとホイールシリンダとを連通可能でかつアクチュエータとホイールシリンダとの連通を遮断する異常対応状態とを切り換える切換弁を、前輪側のホイールシリンダに対してのみ設けているため、後輪側のホイールシリンダには、切換弁が不要となる。
また、切換弁を前輪側のホイールシリンダに対してのみ設けているため、異常時には、前輪側のホイールシリンダにのみ制動力を発生させることになり、よって、異常時における後輪先行ロック防止のためのプロポーショニングバルブが不要となる。
さらに、異常時にのみホイールシリンダに液圧を伝達させる必要があるマスタシリンダは、前輪側のホイールシリンダに対してのみブレーキ液圧を伝達させることになるため、マスタシリンダから吐出させるブレーキ液量は少なくて済むためマスタシリンダは小さなサイズで済み、よってペダル比を小さくしたりマスタシリンダを大型のものにする必要がなくなり、異常時のブレーキペダルの踏込力が小さくて済む。


【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
さらに、本発明の請求項２記載のブレーキ制御装置は、上記に関して、前記切換弁は、電力駆動式のもので、電力非供給時に、前記異常対応状態とされ、電力供給時に前記正常状態とされることを特徴としている。
これにより、コントローラで異常の判定ができない電気系の異常で電力が非供給状態となると、該切換弁は異常対応状態なる。したがって、コントローラで異常の判定ができない電気系の異常時にも制動力を発生させることができる。


【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００４６
【補正方法】削除
【補正の内容】
【手続補正２４】
【補正対象書類名】明細書
【補正対象項目名】００４９
【補正方法】削除
【補正の内容】
【手続補正２５】
【補正対象書類名】明細書
【補正対象項目名】００５０
【補正方法】変更
【補正の内容】
【００５０】
さらに、本発明の請求項２記載のブレーキ制御装置によれば、切換弁は、電力駆動式のもので、電力非供給時に、異常対応状態とされ、電力供給時に正常状態とされるため、コントローラで異常の判定ができない電気系の異常で電力が非供給状態となると、該切換弁は異常対応状態なる。したがって、コントローラで異常の判定ができない電気系の異常時にも制動力を発生させることができる。


【手続補正２６】
【補正対象書類名】明細書
【補正対象項目名】図２
【補正方法】削除
【補正の内容】
【手続補正２７】
【補正対象書類名】図面
【補正対象項目名】図２
【補正方法】削除
【補正の内容】